(57)【要約】      （修正有）【課題】流体圧力袋による背凭れクッション装置を提供する。【解決手段】通気孔を施した外袋内に、１又は複数枚の流体が挿入された状態で密封された流体圧力シート２を設置し、該流体圧力シート２の適宜箇所に三角形状の熱接着で構成した流体の流れない密閉したデルタエリア５を形成して構成した。【選択図】図４
0003222804.tif 000002
【実用新案登録請求の範囲】
【請求項１】
通気孔（６）を施した外袋（１）内に、１又は複数枚の流体の挿入された状態で密封された流体圧力シート（２）を設置し、該流体圧力シート（２）の適宜箇所に密閉したデルタエリア（５）を形成して構成したことを特徴とする流体圧力袋による背凭れクッション装置。
【請求項２】
請求項１記載の密閉したデルタエリア（５）には複数の循環孔（１０）を設け、背中の押圧に伴って流体圧力シート（２）のデルタエリア（５）を介して外気が外袋（１）の通気孔（６）から供給排出できるようにした流体圧力袋による背凭れクッション装置
【考案の詳細な説明】
【技術分野】
【０００１】
本考案は密閉された圧力シートの中に流体が封入されており、背中の動きが圧力シートの中心から動くと圧力シートの押さえられた圧力シートの中の流体は押さえられていない方に移動する流体の移動により体の動きが増幅され、圧力袋の形状と組み合わせにより圧力シートが背中に面接触とポイント接触を同時に行うものである。
【背景技術】
【０００２】
車の背凭れシートに送風機が設けられた空気流通させる蒸れ防止は有るが、その他の場合の背凭れには通気機能が無く背中が汗ばみ汗疹等の問題があった。
【先行技術文献】
【特許文献】
【０００３】
【特許文献１】実開平０６−５２６１２号公報
【考案の概要】
【考案が解決しようとする課題】
【０００４】
従来の背凭れクッションは、背中の体重を吸収・分散し維持する目的の物が多い。又、寝具の敷き布団等も身体が沈み込み寝返りが困難である。体の動きで圧力増幅が得られる体の動きが楽なクッション装置である。
【課題を解決するための手段】
【０００５】
背凭れに密閉された流体の圧力シートの広い流体部を背中の体重が移動することで押さえられた圧力シートの流体は狭い容積の圧力部の方に移動して背中を持ち上げられる、狭い流体部の間は、流体が入らない平らな状態のままのデルタエリアに外気が取り込まれ、外袋の通気孔から排気される流体圧力袋による背凭れクッション装置。
【考案の効果】
【０００６】
上述の様に、外袋の中に流体の圧力シートが複数枚配置されることで、狭い容積の圧力部が膨らむとデルタエリアに外気が取り込まれて、体重移動が流体圧力シートの反対側に移動すると外袋の通気孔から排気される。背中は外袋の通気孔からの排気で蒸れない、面接触と流体圧力シートの狭い容積の圧力部のポイント接触なので電源が無く送風機が無くても体の動きで通気が得られる。
【図面の簡単な説明】
【０００７】
【図１】車の背凭れに本考案を装着した図である。
【図２】外袋（１）に流体圧力シート（２）を入れたイメージ図である。
【図３】外袋（１）の図である。
【図４】流体圧力シート（２）の図である。
【図５】外袋（１）に流体圧力シート（２）のＡ−Ａ断面図である。
【図６】外袋（１）に流体圧力シート（２）のＢ−Ｂ断面図である。
【考案を実施するための形態】
【０００８】
以下、図面に基づいて詳細に説明する。
【実施例】
【０００９】
図１は、車の背凭れ（８）に外袋（１）を装着したイメージ図で、人（９）が車から昇降時の落下・転倒防止の外袋取付紐（７）を設けている。
図２は、外袋（１）に流体圧力シート（２）が複数枚挿入された完成図で紐通し穴（７ａ）に外袋取付紐（７）を取り付けた状態である。
図３は、真空用厚手のフィルムを使用した。外袋（１）表側は通気孔（６）を複数開け、裏面側は上部に少数の通気孔（６）を開けたものである
図４は、流体圧力シート（２）は真空用厚手のフィルムを使用した。流体が入らない平らな状態のままを保つ為に三角形を熱接接着で構成した部分を（以下デルタエリア（５）と言う）流体の流れる広い流体部（３）と狭い容積の圧力部（４）流体の流れないデルタエリア（５）によって構成され、広い流体部に今回流体として空気を注入して熱接着で密封した圧力袋に成っている。又、デルタエリア（５）に循環孔（１０）を施してデルタエリアで確保された外気を背凭れ時の体の動きで外袋（１）の通気孔（６）より排出される構造に成る。
図５は、外袋（１）に流体圧力シート（２）を２枚組み込んだ、背中の体重が圧力シート（２）に加わっていない図４のＡ-Ａ断面としたイメージ図である。
流体圧力シート（２）が無圧の為、広い流体部（３）の図４アの位置に流体は集まっている
図６は、外袋（１）に流体圧力シート（２）を２枚組み込んだ、図４アからウの部位に背中の体重が移動した時のＢ-Ｂ断面としたイメージ図である。Ｂ−Ｂ図４イは、背中の体重が外袋（１）のウ側に移った為、外袋（１）の表面側通気孔（６）ウ側から排気された後の状態である。図６Ｂ−Ｂのウは、背中の体重がウ側に移り外袋（１）の表面側通気孔（６）イ側から吸気され、イ側のデルタエリア（５）で循環孔（１０）により外気が確保している状態を示す。図４のアは、背中の体重が外袋（１）の中心なので流体圧力シート（２）の流体部（３）の流体は、圧力部（４）の左右にイ・ウの端に移動して背中を流体圧力シート（２）の左右の端で包んでいる状態に成る。
【００１０】
椅子に凭れる・車のシートに座る等…長時間座ることも多い、この時に体が動かない時間が長ければ血液・リンパ液の動きも少ない。座っていて体が前後に背を伸ばす左右に揺するほんの少しの動きが、本考案の流体圧力シート（２）により増幅されて自然にリラックスした状態が得られる。
座る時だけでなく寝る時に使用する事も出来る。本考案の流体圧力シート内蔵の外袋（１）を敷き布団のシーツの下に全面に配置又は、上半身の部分に動かない様に固定してシーツの上に寝ると体が沈むこと無く、本考案の流体圧力シート内蔵の外袋（１）の体重で押さえられた部分以外は内部の流体圧力シート（２）の圧力で支えられている。一般的寝具では、体が沈み込んでいる為寝返りが困難ですが本考案の流体圧力シート（２）は体を動かしたい側が体重により沈み反対側が持ち上がるので寝返りが楽に行える。
【００１１】
上述の寝具でのイメ−ジは、大きな面積のエアーシートではなくて魚の鱗の様に小さい流体圧力シート内蔵の外袋（１）を複数枚配置することで得られる。立ったり座ったりの頻度が多い又は、どの椅子に座るか不明の場合は自分の服の裏側に取り付ける様なポケットに装着も出来る。パジャマの裏側でも可能である。
身体の動きでマッサージ効果が得られ  尚且つ、通気効果が得られる厚みの薄いエアーシートを考え試作開始した。
【００１２】
前記は流体圧力シート（２）を１枚外袋（１）に入れて製作し、車の座席で装着確認すると背中に厚みの薄いエアークッションですが上半身の少しの動きが反対側から増幅され持ち上げられる。狭い容積の圧力部（４）のポイント圧力でのマッサージ効果は得られるが、通気効果は感じられず。
前記の流体圧力シート（２）を２枚外袋（１）に入れて製作し、車の座席背凭れ（８）で装着確認すると背中の上半身の少しの動きが反対側から増幅され持ち上げられる。圧力部（４）のポイント圧力でのマッサージ効果は１枚の時よりも得られる様に感じる、通気効果は１枚のときよりも多く感じられた。
【００１３】
前記の圧力シート（２）を２枚外袋（１）に入れて製作し、食卓の椅子（背凭れが腰の部分が空間）で装着確認するが背中の上部のみ椅子に直接当たり、腰の部分が空間で圧力が得られない為、マッサージ効果も通気効果も得られない。
図４の外袋（１）に流体圧力シート（２）には、空気を入れて実験を試みたが流体としてゼリー状の液体等で実施すると粘度により流体の動きが遅く成り、背中に対して圧力をゆっくり伝えることが出来る。
【００１４】
前記の図４アは外袋（１）の中心を押さえているのでデルタエリア（５）の循環孔（１０）に左右に均一な通気の空気を保持している。図４イに背中が動くとウ側の外袋（１）の通気孔（６）から排気される。図４ウでデルタエリア（５）の循環孔（１０）に最大の通気用の空気が保持される。
前記の本考案装着の全面背凭れ付の椅子に座って図４のア・イ・ウを背中の体重移動が繰り返し行われるのでデルタエリア（５）の循環孔（１０）に保持された空気は、外袋（１）の通気孔（６）より排出されるので背中の蒸れが軽減出来る。
【００１５】
前記の本考案装着の全面背凭れ付の椅子に座って図４のア・イ・ウの左右
以外にも背伸びをする背中の体重移動が繰り返し行われるのでデルタエリア
（５）の循環孔（１０）に保持された空気は、外袋（１）の上下からも通気孔（６）より排出されることで背中の蒸れが軽減出来る。
前記の本考案装着の全面背凭れ付の椅子に座って図４のア・イ・ウの左右以外にも背伸びをする背中の体重移動が繰り返し行われるので外袋（１）は、背中に面接触であるがデルタエリア（５）が有る為、圧力部（４）によりポイント接触のマッサージ効果が得られる。
前記による本考案の動作がリラックスした状態で血液が流れ酸素を運んでくれるので車の運転時等でも居眠り運転の防止効果が得られる。
【００１６】
前記による本考案の動作によって血行と新陳代謝が良く、疲労軽減と疲労回復につながる。
前記による本考案の動作が血液のみならずリンパ液の流れも整えると判断される。
前記による本考案の動作が長期入院等でも寝返りが楽に出来るので床擦れ防止効果が得られるものである。
【符号の説明】
【００１７】
１    外袋
２    流体圧力シート
３    流体部  ・・・図４ア
４    圧力部  ・・・図４イ・ウ
５    デルタエリア
６    通気孔
７    外袋取付紐
７ａ  紐通し穴
８    車の背凭れ
９    人
１０  循環孔
【図１】
0003222804.tif 000003
【図２】
0003222804.tif 000004
【図３】
0003222804.tif 000005
【図４】
0003222804.tif 000006
【図５】
0003222804.tif 000007
【図６】
0003222804.tif 000008
【手続補正書】
【提出日】令和1年7月8日(2019.7.8)
【手続補正１】
【補正対象書類名】実用新案登録請求の範囲
【補正対象項目名】全文
【補正方法】変更
【補正の内容】
【実用新案登録請求の範囲】
【請求項１】
通気孔（６）を施した外袋（１）内に、１又は複数枚の流体が挿入された状態で密封された流体圧力シート（２）を設置し、該流体圧力シート（２）の適宜箇所に三角形状の熱接着で構成した流体の流れない密閉したデルタエリア（５）を形成して構成したことを特徴とする流体圧力袋による背凭れクッション装置。
【請求項２】
流体圧力シート（２）のデルタエリア（５）には複数の循環孔（１０）を施して外袋（１）の通気孔（６）と連通し、外気を背凭れ時の体の動きで供給排出できるようにした請求項１記載の背凭れクッション装置。